(57)【要約】【課題】被介護者の無呼吸を検知できる見守り装置を提供する。【解決手段】距離画像センサ１１は、被介護者が居るベッドの上面を含む領域の距離画像を、時系列に取得する。変換部１２は、距離画像の複数の画素のそれぞれの画素値を、距離画像センサ１１の第１ポイントの座標を原点とし、極座標系から直交座標系に変換する。検知部１３は、ベッドの上面の第２ポイントの座標と、直交座標系に変換された、複数の画素のそれぞれの画素値と、の距離変動に基づき、被介護者の無呼吸を検知する。【選択図】図１
2019208671.tif 000002
【特許請求の範囲】
【請求項１】
被介護者を見守る見守り装置において、
前記被介護者が居るベッドの上面を含む領域の距離画像を、時系列に取得する距離画像センサと、
前記距離画像の複数の画素のそれぞれの画素値を、前記距離画像センサの第１ポイントの座標を原点とし、極座標系から直交座標系に変換する変換部と、
前記上面の第２ポイントの座標と、直交座標系に変換された、前記複数の画素のそれぞれの画素値と、の距離変動に基づき、前記被介護者の無呼吸を検知する検知部と、
を備えることを特徴とする見守り装置。
【請求項２】
前記第２ポイントは、前記上面の略中心点である、
ことを特徴とする請求項１記載の見守り装置。
【請求項３】
前記変換部は、直交座標系に変換された、前記複数の画素のそれぞれの画素値を、前記第２ポイントの座標を原点とし、ウェーブレット変換し、
前記検知部は、前記第２ポイントの座標と、ウェーブレット変換された、前記複数の画素のそれぞれの画素値と、の距離変動に基づき、前記被介護者の無呼吸を検知する、
ことを特徴とする請求項２記載の見守り装置。
【発明の詳細な説明】
【技術分野】
【０００１】
本発明は、被介護者を見守る見守り装置に関する。
【背景技術】
【０００２】
近年、被介護者を見守る技術について、様々な技術が提案されている（例えば、特許文献１参照）。この技術では、距離画像センサにより、被介護者が見守られている。具体的には、この技術において、ベッド認識部が、被介護者に使用されるベッドの位置を認識している。人認識部が、ベッドに対する被介護者の姿勢を認識している。
【０００３】
ベッドと非介護者とは、分離されて認識され、動作判定部が、被介護者の動作を判定している。この被介護者の動作として、例えば、被介護者がベッドの端部に腰を掛ける「腰掛け」、被介護者がベッドから離れる「離床初期」、被介護者がベッドから離床する時に転倒する「転倒」などが、開示されている。
【先行技術文献】
【特許文献】
【０００４】
【特許文献１】特開２０１２−０３００４２号公報
【発明の概要】
【発明が解決しようとする課題】
【０００５】
しかし、特許文献１によって開示される技術は、被介護者の呼吸が停止する「無呼吸」について、言及していない。本発明は、上記課題に鑑みてなされ、被介護者の無呼吸を検知できる見守り装置を提供する。
【課題を解決するための手段】
【０００６】
本発明は、上記課題を解決するため、被介護者を見守る見守り装置において、前記被介護者が居るベッドの上面を含む領域の距離画像を、時系列に取得する距離画像センサと、前記距離画像の複数の画素のそれぞれの画素値を、前記距離画像センサの第１ポイントの座標を原点とし、極座標系から直交座標系に変換する変換部と、前記上面の第２ポイントの座標と、直交座標系に変換された、前記複数の画素のそれぞれの画素値と、の距離変動に基づき、前記被介護者の無呼吸を検知する検知部と、を備えることを特徴とする見守り装置を提供する。
【発明の効果】
【０００７】
本発明の見守り装置は、被介護者の無呼吸を検知できる。
【図面の簡単な説明】
【０００８】
【図１】見守りシステムの構成を示すブロック図である。
【図２】見守り装置とベッドとの位置関係を示す図である。
【図３】コンピュータの画面を示す図である。
【図４】コンピュータの画面を示す図である。
【発明を実施するための形態】
【０００９】
以下、本発明の実施形態を、図面を参照して説明する。図１は、見守りシステムの構成を示すブロック図である。図２は、見守り装置とベッドとの位置関係を示す図である。
【００１０】
＜要素＞
見守りシステムは、見守り装置１０、ネットワーク２０、及び、コンピュータ３０を備える。見守り装置１０は、距離画像センサ１１、変換部１２、及び、検知部１３を備える。
【００１１】
＜要素の機能＞
距離画像センサ１１の画角は、被介護者が居るベッド４０の上面を含む領域を包含する。距離画像センサ１１は、その領域において、赤外線レーザを放射し、赤外線レーザの反射波を解析することにより、被介護者が居るベッド４０の上面などの対象物と距離画像センサ１１との距離及び方向を距離画像として時系列に取得する。
【００１２】
距離画像センサ１１は、被介護者が居るベッド４０の上面を含む領域の距離画像を、時系列に取得する。ここで、距離画像センサ１１は、例えば、図２に示されるように、被介護者に使用される居室の床からの高さ２メートルの位置に設置され、ベッド４０を俯瞰する。ベッド４０の上面は、例えば、図２に示されるように、その居室の床からの高さ０．５メートルの位置に設置され、被介護者に使用される。ベッド４０の上面は、具体的には、敷布団の上面である。
【００１３】
変換部１２は、時系列に取得される複数の距離画像のそれぞれに対し、後述の処理を実施する。具体的には、変換部１２は、距離画像の複数の画素のそれぞれの画素値を、距離画像センサ１１の第１ポイントの座標を原点とし、極座標系から直交座標系に変換する。その後、変換部１２は、直交座標系に変換された各画素値を、ベッド４０の上面の第２ポイントの座標を原点とし、ウェーブレット変換する。ここで、第１ポイントは、距離画像センサ１１が備えるイメージセンサＩＣの光電変換素子群の略中心点である。第２ポイントは、ベッド４０の上面の略中心点である。
【００１４】
検知部１３は、ベッド４０の上面の第２ポイントの座標と、直交座標系に変換され、さらに、ウェーブレット変換された、各画素値と、の距離変動に基づき、被介護者の呼吸が停止する「無呼吸」を検知する。
【００１５】
見守り装置１０は、各種演算を実施するマイクロプロセッサや各種情報を記憶するメモリなどを備える電子機器である。見守り装置１０において、マイクロプロセッサが、メモリによって記憶されるアプリケーションプログラムに基づき、動作することにより、変換部１２及び検知部１３は、実現される。
【００１６】
ネットワーク２０は、有線または無線のＬＡＮ（ローカルエリアネットワーク）である。コンピュータ３０は、各種演算を実施するマイクロプロセッサや各種情報を記憶するメモリなどを備える周知の電子機器である。
【００１７】
＜動作１＞
被介護者を見守るための見守りエリアを作成する動作について、説明する。図３は、コンピュータの画面を示す図である。図４は、コンピュータの画面を示す図である。被介護者の見守り前に、距離画像センサ１１は、被介護者が居ないベッド４０の上面を含む領域の距離画像を、取得する。コンピュータ３０の画面は、図３（Ａ）に示されるように、その距離画像を表示する。被介護者を介護する介護者は、コンピュータ３０に接続されるマウスを用い、図３（Ｂ）に示されるように、コンピュータ３０の画面において、ベッド４０の上面の指定点ａ及び指定点ｂを指定する。
【００１８】
ここで、被介護者に使用される居室において、Ｘ軸は、Ｙ軸と直交する。Ｘ軸は、ベッド４０の長手方向と平行する。Ｙ軸は、ベッド４０の短手方向と平行する。Ｘ軸及びＹ軸のそれぞれは、居室の床と平行し、Ｚ軸と直交する。見守り装置１０の演算部は、図示されないが、コンピュータ３０の画面に表示される距離画像において、全ての画素の画素値のＺ軸座標を解析する。演算部は、類似するＺ軸座標をそれぞれ備える複数の画素をグループ化することにより、距離画像において、複数のグループを作成する。演算部は、複数のグループの中から、画素数を最も多く備えるグループを選択し、そのグループを平面とする。平面は、通常、居室の床である。
【００１９】
演算部は、指定点ａ及び指定点ｂ、及び、平面に基づき、図４（Ａ）に示されるように、見守りエリアｃを作成する。具体的には、演算部は、大きさを予め設定される直方体の底面ｃ１のＺ軸座標を指定点ａまたは指定点ｂのＺ軸座標と一致させ、さらに、底面ｃ１と平面とを平行させる。その後、演算部は、その直方体の長手方向の側面ｃ２と、指定点ａと指定点ｂとによる直線と、を平行させる。つまり、演算部は、その直方体の短手方向の側面ｃ３と、指定点ａと指定点ｂとによる直線と、を直交させる。すると、距離画像において、大きさを予め設定される直方体は、位置及び方向を設定されることにより、見守りエリアｃが、作成される。
【００２０】
＜動作２＞
ベッド４０の上面の第２ポイントを作成する動作について、説明する。動作１の後、演算部は、図４（Ｂ）に示されるように、指定点ａと指定点ｂとの中心点ｄを第２ポイントに設定する。
【００２１】
＜動作３＞
被介護者の一部及び／または掛け布団の一部が見守りエリアｃからはみ出す「はみ出し」の検知について、説明する。介護者は、被介護者をベッドに導き、見守りシステムを起動し、見守りシステムは、被介護者の見守りを開始する。演算部は、動作１で使用される距離画像を背景画像に設定する。距離画像センサ１１は、被介護者が居るベッド４０の上面を含む領域の距離画像を、時系列に取得する。演算部は、その背景画像と、見守り開始後に時系列に取得される複数の距離画像のそれぞれと、の差分画像を、作成する。
【００２２】
差分画像が動作１で作成される見守りエリアｃの外に存在すると、つまり、被介護者の一部及び／または掛け布団の一部が見守りエリアｃからはみ出すと、検知部１３は「はみ出し」を検知する。その後、検知部１３は、「はみ出し」の検知を示す検知信号を、ネットワーク２０を介し、コンピュータ３０に出力する。コンピュータ３０の画面は、「はみ出し」を示す画面を表示する。その後、介護者は、その画面を見ることにより、被介護者の居室に行き、被介護者の状況を確認する。
【００２３】
＜動作４＞
被介護者の「無呼吸」の検知について、説明する。見守りシステムは、ここでの動作４と動作３とを同時に実施する。距離画像センサ１１は、被介護者が居るベッド４０の上面を含む領域の距離画像を、時系列に取得する。この時、距離画像の複数の画素のそれぞれの画素値は、距離画像センサ１１の第１ポイントの座標を原点（０、０、０）とし、１つの動径及び２つの偏角（Ｌ、Θ、Φ）によって表現される。
【００２４】
変換部１２は、各画素値を、第１ポイントの座標を原点（０、０、０）とし、極座標系から直交座標系に変換する。この時、各画素値は、第１ポイントの座標を原点（０、０、０）とし、（ｘ、ｙ、ｚ）によって表現される。その後、変換部１２は、直交座標系に変換された各画素値を、ベッド４０の上面の第２ポイントの座標を原点（０、０、０）とし、ウェーブレット変換する。この時、各画素値は、第２ポイントの座標を原点（０、０、０）とし、（Ｗｘ、Ｗｙ、Ｗｚ）によって表現される。ここで、各画素値は、被介護者の呼吸により、非定常に変動するので、ウェーブレット変換によって時間周波数解析される。
【００２５】
ここで、ウェーブレット変換時において、原点が、第１ポイントから第２ポイントに移動する。この原点の移動は、第１ポイントの座標と各画素値との差分がウェーブレット変換されないで、第２ポイントの座標と各画素値との差分がウェーブレット変換される、ことを意味する。すると、被介護者は、ベッド４０の上面に居るので、ベッド４０の上面の第２ポイントと、ベッド４０の上面に居る被介護者と、の距離は、図２に示されるように、距離画像センサ１１の第１ポイントと、被介護者と、の距離よりも短い。よって、各画素値の変動時において、第２ポイントと被介護者との距離の変動率は、第１ポイントと被介護者との距離の変動率よりも高い。
【００２６】
検知部１３は、第２ポイントの座標と、直交座標系に変換され、さらに、ウェーブレット変換された、各画素値と、の距離変動に基づき、「無呼吸」を検知する。つまり、検知部１３は、（Ｗｘ、Ｗｙ、Ｗｚ）に基づき、「無呼吸」を検知する。
【００２７】
ここで、被介護者に使用される居室において、Ｘ軸は、Ｙ軸と直交する。Ｘ軸は、ベッド４０の長手方向と平行する。Ｙ軸は、ベッド４０の短手方向と平行する。Ｘ軸及びＹ軸のそれぞれは、居室の床と平行し、Ｚ軸と直交する。ベッド４０の上面に居る被介護者が呼吸を行っていて、例えば、介護者がＺ軸方向を向いて寝ている場合（例えば、仰向けの睡眠状態）、（Ｗｘ、Ｗｙ、Ｗｚ）のうちのＷｚが、Ｗｘ及びＷｙと比較されると、顕著に変動する。介護者がＸ軸方向を向いて寝ている場合、（Ｗｘ、Ｗｙ、Ｗｚ）のうちのＷｘが、Ｗｙ及びＷｚと比較されると、顕著に変動する。介護者がＹ軸方向を向いて寝ている場合、（Ｗｘ、Ｗｙ、Ｗｚ）のうちのＷｙが、Ｗｘ及びＷｚと比較されると、顕著に変動する。
【００２８】
また、被介護者が呼吸を行っていない場合、（Ｗｘ、Ｗｙ、Ｗｚ）の全てが、それぞれほとんど変動しない。（Ｗｘ、Ｗｙ、Ｗｚ）の全ての変動が、所定の範囲内にそれぞれ収まってしまうと、検知部１３は、「無呼吸」を検知する。または、（Ｗｘ、Ｗｙ、Ｗｚ）の全ての変動が、それぞれほぼ０であると、検知部１３は、「無呼吸」を検知する。その後、検知部１３は、「無呼吸」の検知を示す検知信号を、ネットワーク２０を介し、コンピュータ３０に出力する。コンピュータ３０の画面は、「無呼吸」を示す画面を表示する。その後、介護者は、その画面を見ることにより、被介護者の居室に行き、被介護者の状況を確認する。
【００２９】
＜補足＞
なお、１つの居室の１台の見守り装置１０が、図１では、コンピュータ３０に接続されている。しかし、複数の居室の複数台の見守り装置が、図示されないが、コンピュータ３０にそれぞれ接続されても良い。この時、複数台の見守り装置のそれぞれは、異なるアドレスを付与される。
【００３０】
また、コンピュータ３０の画面は、被介護者が居ないベッド４０の上面を含む領域の距離画像を表示し、介護者は、コンピュータ３０に接続されるマウスを用い、コンピュータ３０の画面において、図３（Ｂ）に示されるように、ベッド４０の上面の指定点ａ及び指定点ｂを指定している。その後、演算部は、図４（Ｂ）に示されるように、指定点ａと指定点ｂとの中心点ｄを第２ポイントに設定している。しかし、介護者は、図示されないが、ベッド４０の上面の指定点ａと指定点ｂとの略中心点を指定し、演算部は、図示されないが、その略中心点を第２ポイントに設定しても良い。
【符号の説明】
【００３１】
１０…見守り装置
１１…距離画像センサ
１２…変換部
１３…検知部
２０…ネットワーク
３０…コンピュータ
４０…ベッド
ａ、ｂ…指定点
ｃ…見守りエリア
ｃ１…底面
ｃ２…長手方向の側面
ｃ３…短手方向の側面
ｄ…中心点
【図１】
2019208671.tif 000003
【図２】
2019208671.tif 000004
【図３】
2019208671.tif 000005
【図４】
2019208671.tif 000006